(57)【要約】【課題】高倍率のズーム機能を備える撮像装置において、スルー画像表示を行う場合に、撮影したい被写体を見失いにくくすることができる撮像装置を提供すること。【解決手段】被写体を撮像し画像データを生成する撮影手段と、光学ズームもしくはデジタルズーム手段と、スルー画像表示時に自動的に露出値を調整するＡＥ手段と、スルー画像表示時に自動的にホワイトバランスを調整するＡＷＢ手段と、特定の操作をすると広角側にズームし、異なる操作をすると望遠側にズームする、第一のズーム操作手段と、特定のボタンを押すと広角側にズームし、前記ボタンを離すと移動前のズーム位置に戻る、第二のズーム操作手段と、前記第一のズーム操作手段を操作した後は、連続的に前記ＡＥと前記ＡＷＢを行い、前記第二のズーム操作手段を押してから離すまでの期間は、露出値とホワイトバランスをズーム操作する前の値に固定する制御手段とを有することを特徴とする構成とした。【選択図】図４
2014143456.tif 000002
【特許請求の範囲】
【請求項１】
被写体を撮像し画像データを生成する撮影手段と、
光学ズームもしくはデジタルズーム手段と、
スルー画像表示時に自動的に露出値を調整するＡＥ手段と、
スルー画像表示時に自動的にホワイトバランスを調整するＡＷＢ手段と、
特定の操作をすると広角側にズームし、
異なる操作をすると望遠側にズームする、
第一のズーム操作手段と、
特定のボタンを押すと広角側にズームし、
前記ボタンを離すと移動前のズーム位置に戻る、
第二のズーム操作手段と、
前記第一のズーム操作手段を操作した後は、
連続的に前記ＡＥと前記ＡＷＢを行い、
前記第二のズーム操作手段を押してから離すまでの期間は、
露出値とホワイトバランスをズーム操作する前の値に固定する制御手段
とを有することを特徴とする撮像装置。
【請求項２】
前記第二のズーム操作手段を使用した場合に、
光学ズームの各ズームポジションでのＦ値を記憶する記憶手段と、
光学ズーム動作前に光学ズーム駆動後のズームポジションのＦ値を用いて、
光学ズーム動作前と光学ズーム動作後の露出値が同じになるように、
光学ズーム動作後のシャッタースピードを変更する制御手段
とを有することを特徴とする請求項１に記載の撮像装置。
【請求項３】
前記第二のズーム操作手段を使用した場合に、
光学ズームの各ズームポジションでのＦ値を記憶する記憶手段と、
光学ズーム動作前に光学ズーム動作中と光学ズーム駆動後のズームポジションのＦ値を用いて、
光学ズーム動作前と光学ズーム動作中と光学ズーム動作後の露出値が同じになるように、
光学ズーム動作中と光学ズーム動作後のシャッタースピードを変更する制御手段
とを有することを特徴とする請求項１に記載の撮像装置。
【請求項４】
前記第二のズーム操作手段を使用した場合に、
前記光学ズームの各ズームポジションでのＦ値を記憶する記憶手段と、
光学ズーム動作前に光学ズーム駆動後のズームポジションのＦ値を用いて、
光学ズーム動作前と光学ズーム動作後の露出値が同じになるように、
光学ズーム動作後のＩＳＯ感度を変更する制御手段
とを有することを特徴とする請求項１に記載の撮像装置。
【請求項５】
前記第二のズーム操作手段を使用した場合に、
前記光学ズームの各ズームポジションでのＦ値を記憶する記憶手段と、
光学ズーム動作前に光学ズーム中と光学ズーム駆動後のズームポジションのＦ値を用いて、
光学ズーム動作前と光学ズーム動作中と光学ズーム動作後の露出値が同じになるように、
光学ズーム動作中と光学ズーム動作後のＩＳＯ感度を変更する制御手段
とを有することを特徴とする請求項１に記載の撮像装置。
【請求項６】
前記第二のズーム操作手段を使用した場合に、
前記光学ズームの各ズームポジションでのＦ値を記憶する記憶手段と、
光学ズーム動作前に光学ズーム駆動後のズームポジションのＦ値を用いて、
光学ズーム動作前と光学ズーム動作後の露出値が同じになるように、
光学ズーム動作後のシャッタースピードとＩＳＯ感度を変更する制御手段
とを有することを特徴とする請求項１に記載の撮像装置。
【請求項７】
前記第二のズーム操作手段を使用した場合に、
前記光学ズームの各ズームポジションでのＦ値を記憶する記憶手段と、
光学ズーム動作前に光学ズーム動作中と光学ズーム駆動後のズームポジションのＦ値を用いて、
光学ズーム動作前と光学ズーム動作中と光学ズーム動作後の露出値が同じになるように、
光学ズーム動作中と光学ズーム動作後のシャッタースピードとＩＳＯ感度を変更する制御手段
とを有することを特徴とする請求項１に記載の撮像装置。
【請求項８】
被写体を撮像し画像データを生成する撮影手段と、
光学ズームもしくはデジタルズーム手段と、
スルー画像表示時に自動的に露出値を調整するＡＥ手段と、
スルー画像表示時に自動的にホワイトバランスを調整するＡＷＢ手段と、
特定の操作をすると広角側にズームし、
異なる操作をすると望遠側にズームする、
第一のズーム操作手段と、
特定のボタンを押すと広角側にズームし、
前記ボタンを離すと移動前のズーム位置に戻る、
第二のズーム操作手段
とを有する撮像装置の制御方法であって、
前記第一のズーム操作手段を操作した後は、
連続的に前記ＡＥと前記ＡＷＢを行い、
前記第二のズーム操作手段を押してから離すまでの期間は、
露出値とホワイトバランスをズーム操作する前の値に固定すること
を特徴とする撮像装置の制御方法。
【発明の詳細な説明】
【技術分野】
【０００１】
本発明は、フレーミングアシスト機能を備えた撮像装置に関する。
【背景技術】
【０００２】
近年、デジタルカメラ等の撮像装置の高倍率化が進んでいる。高倍率のズーム機能を備える撮像装置では、超望遠状態での画角合わせの際、被写体の僅かな移動でフレームアウトが起こり得る。またカメラを構えた撮影者がカメラの向きをわずかに変えるだけで画角の範囲が大きく変化してしまう。このように超望遠状態では、動体である被写体を所望の画角にフレーミングすることが困難である。
【０００３】
動きのある遠距離の被写体を容易に追跡可能とした撮像装置として特許文献１が提案されている。特許文献１は、例えばエレクトリックビューファインダー（ＥＶＦ）と液晶モニターのように２種類の画像表示手段を持つデジタルカメラを用いて、デジタルズームを行う場合について記載されている。ＥＶＦにはデジタルズーム後の画像を表示させ、液晶モニタにはデジタルズーム前の画像を表示させ、ユーザーが双方の画面を見比べることによって、動体である被写体を見失わずに、所望の画角にフレーミングすることができる。
【０００４】
また特許文献２では、ズームレンズを広角側にした撮影待機状態でスルー画像表示を行い、スルー画像上に、所定倍率でズームインした際に撮影範囲となる部分を枠表示することが開示されている。この状態でシャッターボタンが半押しされると所定倍率でズームレンズをズームインするように駆動し、さらにその状態でシャッターボタンを全押しすればズームインした状態で本撮影が行える。シャッターボタンを離せば元の広角側のズーム位置にズームアウトするようにズームレンズを駆動する。このようにすることで、遠くにいる動きのある被写体を、ズームインした際の撮影範囲に収めやすくしている。
【先行技術文献】
【特許文献】
【０００５】
【特許文献１】特開２００８−１３１２６５号公報
【特許文献２】特開２００６−０１９８５２号公報
【発明の概要】
【発明が解決しようとする課題】
【０００６】
特許文献１の方法は、デジタルズームを使用した画像を撮像する場合には使用することができるが、光学ズームの場合には使用できない手法である。デジタルズームはいわゆるトリミングであり、撮影画像を構成する画素数が少なくなってしまう。そのため、光学ズームと比較すると、画像のメリハリが無くなり、ノイズが目立つ傾向にある。また特許文献１の方法は、１台のカメラに２種類の表示装置を設ける必要があり、コストアップや機器の大型化につながるため問題がある。
【０００７】
特許文献２の方法では、ズーム位置を実際に撮影する画角よりも広角側にしてスルー画像表示を行っている。そのため、広角側のスルー画像を見ながら、ユーザーが被写体のフレーミングを行う。しかしながら、スルー画像表示時に自動的に露出値を調整するＡＥ機能とホワイトバランスを調整するＡＷＢ機能を使用すると、ユーザーがスルー画に表示されている被写体を見失い易い問題がある。例えば、窓越しに被写体を撮影する場合には、周辺に輝度の低い物体が写り込むため、ＬＣＤ表示上で被写体が白飛びし、撮影したい被写体を見失い易くなる。反対に、逆光環境下で、被写体を撮影する場合には、周辺に輝度の高い背景が写り込むため、ＬＣＤ表示上で被写体が黒つぶれし、ユーザーが被写体を見失い易くなる。
【０００８】
本発明は、上記課題に鑑み、高倍率のズーム機能を備える撮像装置において、スルー画像表示を行う場合に、撮影したい被写体を見失いにくくし、動体である被写体を所望の画角にフレーミングすることを目的とする。
【課題を解決するための手段】
【０００９】
本発明に係る撮像装置の構成は、
被写体を撮像し画像データを生成する撮影手段と、
光学ズームもしくはデジタルズーム手段と、
スルー画像表示時に自動的に露出値を調整するＡＥ手段と、
スルー画像表示時に自動的にホワイトバランスを調整するＡＷＢ手段と、
特定の操作をすると広角側にズームし、
異なる操作をすると望遠側にズームする、
第一のズーム操作手段と、
特定のボタンを押すと広角側にズームし、
前記ボタンを離すと移動前のズーム位置に戻る、
第二のズーム操作手段と、
前記第一のズーム操作手段を操作した後は、
連続的に前記ＡＥと前記ＡＷＢを行い、
前記第二のズーム操作手段を押してから離すまでの期間は、
露出値とホワイトバランスをズーム操作する前の値に固定する制御手段
とを有することを特徴とする。
【発明の効果】
【００１０】
本発明によれば、高倍率のズーム機能を備える撮像装置において、スルー画像表示を行う場合に、撮影したい被写体を見失いにくくし、動体である被写体を所望の画角にフレーミングすることができる。
【図面の簡単な説明】
【００１１】
【図１】本発明の実施例としてのデジタルカメラの背面外観図である。
【図２】本発明の実施例としてのデジタルカメラの構成ブロック図である。
【図３】本発明の撮影モード処理のフローチャートである。
【図４】本発明のフレーミングアシスト（ＦＡ）処理のフローチャートである。
【図５】本発明のＦＡ処理の際の画面表示例である。
【図６】本発明のＦＡズームアウト時の露出値固定処理のフローチャートである。
【図７】本発明のＦＡズームアウトまたはＦＡズームイン時のズームポジションを示した図である。
【図８】本発明のＦＡズームイン時の露出値固定処理のフローチャートである。
【発明を実施するための形態】
【００１２】
以下、本発明を図面に基づいて詳しく説明する。
【実施例】
【００１３】
以下に、本発明の好ましい実施形態を、添付の図面に基づいて詳細に説明する。
【００１４】
本実施形態の撮像装置は、第一のズーム操作手段であるズームレバーとは別に、第二のズーム操作手段であるフレーミングアシストボタン（ＦＡボタン）を有し、ＦＡボタンを押すことで現在のズーム位置を記憶すると共に、現在のズーム倍率をもとに求められたワイド画角位置にズームを駆動する。そして、ＦＡボタンを離すことで記憶したズーム位置に復帰させる。本実施の形態では、このＦＡ機能の実行中のスルー画表示ではＡＥとＡＷＢを実行しないように制御し、光学ズームレンズの倍率が変わっても露出値はＦＡボタンを押す前の値に固定するように制御する例について説明する。
【００１５】
＜デジタルカメラのハードウェア構成＞
図１に本発明の撮像装置の一例としてのデジタルカメラの背面外観図を示す。表示部２８は画像や各種情報を表示する表示部である。シャッター操作部材であるシャッターボタン６１は撮影指示を行うための操作部である。モードダイヤル６０は各種モードを切り替えるための操作部である。コネクタ１１２は接続ケーブル１１１とデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。７２は電源スイッチであり、電源オン、電源オフを切り替える。記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１６】
動画ボタン７４は操作部７０の１つであり、動画の撮影開始及び終了（停止）の指示操作を受け付けるボタンである。ＦＡボタン７５は操作部７０の１つであり、ＦＡ機能を実行する指示を受け付けるボタンである。ズームレバー７６は操作部７０の１つであり、シャッターボタン６１を中心として時計回り方向および反時計回り方向に操作可能であり、操作方向に応じて光学ズームおよび電子ズームでのズームイン／ズームアウトの指示を受付けるズーム操作部材である。
【００１７】
バリアングルモニタ部２６は表示部２８が配置された筐体であり、ヒンジ部２７を介してデジタルカメラ１００の本体部に回動可能に接続されている。バリアングルモニタ部２６は、本体部に対して少なくとも以下の位置に移動可能であり、どの位置に位置しているかを後述するシステム制御部５０が検知可能であるものとする。
【００１８】
表示部２８の表示面が露出するように折りたたまれた図１に示す位置（第１の位置）。
【００１９】
表示部２８の表示面がデジタルカメラ１００の正面（被写体光が入射するレンズが備えられた面）を向き、撮像される被写体側から表示部２８の表示面を視認可能なように開かれた対面位置（第２の位置）。
【００２０】
表示部２８の表示面がデジタルカメラ１００の背面側から視認可能なように開かれた開位置（第３の位置）。
【００２１】
表示部２８の表示面がデジタルカメラ１００の背面に対向し、表示部２８の表示面が見えないように折りたたまれた閉位置（第４の位置）。
【００２２】
接眼表示部２９は覗き込み型のファインダであり、覗き込むことで内部に設けられたＥＶＦとして機能するディスプレイを視認可能となっている。
【００２３】
図２は、図１に示したデジタルカメラ１００の構成例を示すブロック図である。
【００２４】
図２において、１０３はズームレンズ、フォーカスレンズを含む撮影レンズ群、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換するために用いられる。１０２はバリアであり、デジタルカメラ１００の、撮影レンズ１０３を含む撮像部を覆うことにより、撮影レンズ１０３、シャッター１０１、撮像部２２を含む撮像系の汚れや破損を防止する。
【００２５】
２４は画像処理部であり、Ａ／Ｄ変換器２３からのデータ或いはメモリ制御部１５からのデータに対して所定の画素補間処理や色変換処理を行う。また、画像処理部２４では、撮像した画像データを用いて所定の演算処理を行い、得られた演算結果に基づいてシステム制御部５０が制御を行いＡＦ（オートフォーカス）処理、ＡＥ（自動露出）処理、ＥＦ（フラッシュプリ発光）処理を行っている。画像処理部２４では更に、撮像した画像データを用いて所定の演算処理を行い、得られた演算結果に基づいてＴＴＬ方式のＡＷＢ（オートホワイトバランス）処理も行っている。
【００２６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８や接眼表示部２９に表示するための画像データを格納する。メモリ３２は、所定枚数の静止画像や所定時間の動画像および音声を格納するのに十分な記憶容量を備えている。
【００２７】
また、メモリ３２は画像表示用のメモリ（ビデオメモリ）を兼ねている。１３はＤ／Ａ変換器であり、メモリ３２に格納されている画像表示用のデータをアナログ信号に変換して表示部２８に供給する。こうして、メモリ３２に書き込まれた表示用の画像データはＤ／Ａ変換器１３を介して表示部２８や接眼表示部２９により表示される。
【００２８】
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダ（スルー画像表示）として機能する。
【００２９】
接眼表示部２９は覗き込み型のファインダ内に設けられた表示部であり、表示部２８と同様な表示が可能である。システム制御部５０は、検出されたバリアングルモニタ部２６の位置に応じて表示部２８に表示を行うか否か、接眼表示部２９に表示を行うか否かを制御する。例えば、バリアングルモニタ部が第１の位置である場合は、接眼表示部２９を節電のためＯＦＦとし、表示部２８に対して表示を行う。また、バリアングルモニタ部２６が第４の位置となると、表示部２８を節電のためＯＦＦとし、接眼表示部２９をＯＮにして表示を行う。表示部２８と接眼表示部２９は、ユーザの指示に応じて任意にＯＮ／ＯＦＦを切り替えることも可能である。
【００３０】
表示部２８と接眼表示部２９には同じ表示内容での表示が可能なので、以下、表示部２８での表示についてのみ記載するが、接眼表示部２９に対しても同様の表示が可能であるものとする。
【００３１】
４０は絞り機能を備えるシャッター１０１を制御する露光制御手段であり、フラッシュ４８と連携することによりフラッシュ調光機能も有するものである。
【００３２】
フォーカス制御手段４２は撮影レンズ１０３に含まれるフォーカスレンズを駆動してフォーカシングを制御する。ズーム制御手段４４は撮影レンズ１０３に含まれるズームレンズを駆動してズーミングを制御する。バリア制御手段４６はバリア１０２の動作を制御する。
【００３３】
４８はフラッシュであり、ＡＦ補助光の投光機能、フラッシュ調光機能も有する。
【００３４】
露光制御手段４０、フォーカス制御手段４２はＴＴＬ方式を用いて制御されており、撮像した画像データを画像処理部２４によって演算した演算結果に基づき、システム制御部５０が露光制御手段４０、フォーカス制御手段４２に対して制御を行う。
【００３５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３６】
５０はシステム制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８、接眼表示部２９等を制御することにより表示制御も行う。
【００３７】
システムタイマー５３は各種制御に用いる時間や、内蔵された時計の時間を計測する計時部である。
【００３８】
モード切替スイッチ６０、第１シャッタースイッチ６２、第２シャッタースイッチ６４、操作部７０はシステム制御部５０に各種の動作指示を入力するための操作手段である。
【００３９】
モード切替スイッチ６０は、システム制御部５０の動作モードを静止画記録モード、動画記録モード、再生モード等のいずれかに切り替える。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００４０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００４１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００４２】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４３】
３０は電源部であり、アルカリ電池やリチウム電池等の一次電池やＮｉＣｄ電池やＮｉＭＨ電池、Ｌｉ電池等の二次電池、ＡＣアダプター等からなる。１８はメモリカードやハードディスク等の記録媒体２００とのインターフェースである。記録媒体２００は、メモリカード等の記録媒体であり、半導体メモリや磁気ディスク等から構成される。
【００４４】
＜撮影モード処理＞
図３に、撮影モード処理のフローチャートを示す。この処理は、不揮発性メモリ５６に記録されたプログラムをシステム制御部５０がシステムメモリ５２に展開して実行することで実現する。デジタルカメラ１００の電源がＯＮで、モードダイヤル６０等によって撮影モードに切り替えられると撮影待機状態となり、図３の処理を開始する。
【００４５】
Ｓ３０１では、スルー画像表示を行う。スルー画像表示は、フレーミングを行うために、本撮影の前に撮像部２２によって撮像された画像を表示部２８にリアルタイムに逐次表示するものである。
【００４６】
Ｓ３０２では、ズームレバー７６が操作されたか否かを判定する。操作されたと判定した場合はＳ３０３へ進み、操作されていなければＳ３０５に進む。
【００４７】
Ｓ３０３では、ズームレバーの操作された方向と操作量に応じて、ズーム制御手段４４に指示を出してズームレンズを駆動する（光学ズーム）。なお、ズームレンズが広角端に達している場合に広角側へズームレバーが操作されてもズームレンズは駆動しない。また、ズームレンズが望遠端に達している場合に望遠側にズームレバーが操作されると、ズームレンズは駆動せず、電子ズームによりズームインする。
【００４８】
Ｓ３０４では、Ｓ３０３でのズームレンズ駆動（あるいは電子ズーム）の結果である現在のズーム倍率をシステムメモリ５２に記録する。ズーム倍率とは広角端からのズーム倍率である。ズーム倍率の変わりにズームレンズのレンズ位置と電子ズーム倍率とを記録してもよい。
【００４９】
Ｓ３０５では、操作部７０の操作などにより設定変更操作があったか否かを判定する。設定変更操作があったと判定するとＳ３０６へ進み、設定変更操作が無ければＳ３０７に進む。
【００５０】
Ｓ３０６では、操作部７０の操作内容に応じて各種設定変更を行う。
【００５１】
Ｓ３０７では、ＦＡボタン７５が押下されたか否かを判定する。ＦＡボタン７５が押下されたと判定するとＳ３０８に進み、ＦＡ処理を行う。ＦＡ処理の詳細については図４を用いて後述する。ＦＡボタンが押下されていない場合はＳ３０９に進む。
【００５２】
Ｓ３０９では、シャッターボタン６１が半押しされて第１シャッタースイッチ信号ＳＷ１が発生したか否かを判定する。第１シャッタースイッチ信号ＳＷ１が発生したと判定した場合はＳ３１０へ進み、発生していない場合はＳ３１５へ進む。
【００５３】
Ｓ３１０では、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００５４】
Ｓ３１１では、シャッターボタン６１が全押しされて第２シャッタースイッチ信号ＳＷ２が発生したか否かを判定する。発生した場合はＳ３１３へ進み、発生していない場合はＳ３１２に進む。
【００５５】
Ｓ３１２では、シャッターボタン６１が半押しされて第１シャッタースイッチ信号ＳＷ１がＯＮとなったままであるか否かを判定する。ＯＮとなっていればＳ３１１に戻り、撮影準備動作によって確定したＡＦやＡＥをロックしたままシャッターボタン６１が全押しされるか離されるのを待つ。ＯＮとなってない場合Ｓ３０９へ戻る。
【００５６】
Ｓ３１３では、シャッターボタン６１の全押しに応答して、撮像部２２からの信号読み出しから記録媒体２００に画像データを書き込むまでの一連の静止画撮影処理の動作を行う（本撮影処理）。
【００５７】
Ｓ３１４では、Ｓ３１３で撮影された画像を所定時間（数秒）表示するレビュー表示（レックレビュー）を行う。レビュー表示はシャッターボタン６１の半押し操作を終了するか、所定時間で自動的に終了する。
【００５８】
Ｓ３１５では、動画ボタン７４が押下されたか否かを判定する。動画ボタン７４が押下されたと判定した場合はＳ３１６へ進み、押下されていない場合はＳ３２６へ進む。
【００５９】
Ｓ３１６では、撮像部２２からの信号読み出しから記録媒体２００に動画像として画像データを書き込むまでの一連の動画撮影処理（動画記録）の動作を行う。
【００６０】
Ｓ３１７では、ズームレバー７６が操作されたか否かを判定する。この処理と、続くＳ３１８、Ｓ３１９の処理は、前述したＳ３０２〜Ｓ３０４の処理と同様なので説明を省略する。ただし、動画撮影中のため、ズームレンズの駆動速度は撮影待機中のＳ３０３よりも遅くし、記録されている動画の品位を損なわないようにする。
【００６１】
Ｓ３２０では、設定変更操作が行われたか否かを判定する。設定変更操作が行われたと判定するとＳ３２１に進んで操作に応じて設定変更を行い、設定変更操作が行われていないと判定するとＳ３２２に進む。ここで設定変更の操作を受付可能な設定項目は、動画の撮影中であるため、前述した撮影待機中のＳ３０５、Ｓ３０６で変更可能な項目より少ない。ここで変更可能な撮影設定は、例えば、マニュアルフォーカス、露出設定、フォーカスロックがある。
【００６２】
Ｓ３２２では、ＦＡボタン７５が押下されたか否かを判定する。押下されたと判定するとＳ３２３に進み、ＦＡ処理を行う。ＦＡ処理の詳細については図４を用いて後述する。ＦＡボタン７５が押下されていない場合はＳ３２４へ進む。
【００６３】
Ｓ３２４では、動画ボタン７４が押下されたか否かを判定する。動画ボタン７４が押下された場合はＳ３２５に進み、動画撮影を停止（終了）し、動画ボタン７４が押下されていない場合はＳ３１６へ進み、動画撮影を継続する。
【００６４】
Ｓ３２６では、撮影モード処理を終了するか否かを判定する。電源スイッチ７２に対する電源をＯＦＦとする操作や、再生モードなどの他モードへ移行する操作、何の操作もされないまま所定時間が経過した場合に節電のために電源を切るオートパワーオフの実行などがある場合は撮影モード処理を終了すると判定する。撮影モード処理を終了しないと判定した場合はＳ３０１に戻って処理を繰り返し、終了すると判定した場合は撮影モード処理を終了する。
【００６５】
＜ＦＡ処理＞
図４は、前述した図３のＳ３０８、Ｓ３２３のＦＡ処理の詳細を示すフローチャートである。この処理は、不揮発性メモリ５６に記録されたプログラムをシステム制御部５０がシステムメモリ５２に展開して実行することで実現する。ＦＡ処理は、図３で説明したとおり、撮影モードにおける撮影待機中あるいは動画撮影中にＦＡボタン７５が操作されると開始する。
【００６６】
Ｓ４０１では、現在のズーム倍率（あるいはズーム位置）が広角端であるか否かを判定する。広角端である場合はこれ以上ズームアウトすることができず、ＦＡ機能が実行できないのでＦＡ処理を終了する。すなわち、広角端の場合にＦＡボタン７５が押下されてもＦＡ機能は発動しない。広角端でないと判定した場合には、Ｓ４０２に進む。
【００６７】
Ｓ４０２では、常時有効になっていたスルー画像表示中のＡＥとＡＷＢを無効にし、ＦＡボタンを押す前の状態で露出値とホワイトバランスを固定する。ＦＡ機能の目的は、再度ズームインした時に、遠くにいる動きの有る被写体を、撮影範囲内に収めることである。そのため、被写体を見つけやすくするために、スルー画像表示の露出とホワイトバランスをズームアウトする前の設定に固定する。
【００６８】
Ｓ４０３では、システムメモリ５２に、現在のズーム倍率をＦＡ処理前のズーム倍率（第１の位置）として記録する。これは、前述したＳ３０４、Ｓ３１９とは別途に記録するものである。予めＦＡ処理前のズーム倍率を記録しておき、後述するＳ４１２の中でズームアウトが行われた時に、ズーム倍率を元に戻す際に参照するためのものである。なお、ＦＡ処理前のズーム位置がわかるものであれば、ズーム倍率ではなく、スームレンズの位置であるズームポジションを記録してもよい。
【００６９】
Ｓ４０４では、ＦＡ前のズームポジションから広角端までズームアウトした場合の倍率が、ＦＡズームアウト倍率より小さいか否かを判定する。これは、システムメモリ５２に記憶しているＦＡ前のズームポジションから広角端までの倍率差と、ＦＡ機能でズームアウトする倍率として、予め定められているＦＡズームアウト倍率とを比較することによって行われる。ＦＡズームアウト倍率より小さいと判定した場合はＳ４０５に進み、小さくないと判定した場合はＳ４０６へ進む。小さい場合とはすなわち、ＦＡズームアウト倍率だけズームアウトする前に広角端に達する場合である。したがって小さいと判定した場合は、Ｓ４０５に進み、ＦＡズームアウト倍率を、広角端までのズームアウト倍率に置き換える。
【００７０】
Ｓ４０６ではそれまで表示部２８に表示されていた、撮影情報を非表示にする。表示部２８にはスルー画像のみが表示され、他の情報は非表示となっている。
【００７１】
Ｓ４０７では、押下されていたＦＡボタン７５が離されたか否か（すなわち、ＦＡ機能の実行の終了指示があったか否か）を判定する。離されたと判定した場合はＳ４０８に進み、離されていない場合はＳ４１１に進む。
【００７２】
Ｓ４０８では、ＦＡ処理によって行われていた一時的なズームアウト（後述するＳ４１２により行われるズームアウト）を解除し、ＦＡ前のズームポジション（システムメモリ５２にＳ４０３で記録したズームポジション）とするように、ズームを制御する。Ｓ４０３で記録したＦＡ前のズームポジションが電子ズーム領域を示す倍率であった場合は電子ズームによるズーム制御も行う。
【００７３】
Ｓ４０９では、Ｓ４０２で実施した露出値とホワイトバランスの固定を解除する。Ｓ４０９の時点ではズームレンズはＦＡ前のズームポジションにある。つまり被写体の周囲に輝度の高い物体や輝度の低い物体、もしくは被写体に合わせたホワイトバランス調整を阻害する物体が写り込んでいない画角であるため、スルー画像のＡＥとＡＷＢを有効にしても、被写体を見つけづらくなることはない。
【００７４】
Ｓ４１０では、Ｓ４０６で非表示としていた撮影情報を再度表示し、ＦＡ処理を終了する。
【００７５】
Ｓ４１１では、ＦＡズームアウト倍率のズームアウトを完了したか否かを判定する。完了していなければＳ４１２へ進み、光学ズームによるズームアウトを行う。あるいは、それまで電子ズームによるズームインを行っていた場合は電子ズームによるズームアウトを行い、Ｓ４０７へ処理を戻す。
【００７６】
ここで、撮影したい被写体の周辺に輝度の低い物体が入った場合のスルー画像を図５に示す。図５（ａ）〜（ｄ）は仮にＳ４０２において露出値とホワイトバランスを固定しない場合のスルー画像を示している。
【００７７】
（ａ）はＳ３０７におけるスルー画像であり、ズームアウト前のスルー画像を示す。
【００７８】
（ｂ）はＳ４１１でＹｅｓ判定をした時のスルー画像であり、ズームアウトを完了した状態を示す。露出値とホワイトバランスを固定しない場合は、常時ＡＥとＡＷＢを実施するため（ｃ）のように、撮影したい被写体５０１だけでなく、周辺の輝度の低い物体５０２を含めて、ＡＥとＡＷＢを実施する。そのため、撮影したい被写体５０１が白飛びしてしまう。
【００７９】
（ｄ）はＳ４０８で再度ズームインした時のスルー画像であり、ＡＥとＡＷＢが追従するまでに時間がかかるため、撮影したい被写体５０１を見失い易くなる。
【００８０】
図５（ｅ）〜（ｈ）は本実施形態のスルー画像、つまりＳ４０２において露出値とホワイトバランスを固定した場合のスルー画像を示す。
【００８１】
（ｅ）はＳ３０７におけるスルー画像であり、ズームアウト前のスルー画像を示す。
【００８２】
（ｆ）はＳ４１１でＹｅｓ判定をした時のスルー画像であり、ズームアウトを完了した状態を示す。露出値とホワイトバランスを固定しているので、（ｇ）のように、撮影したい被写体５０１に露出が合い、周辺の輝度の低い物体５０２が黒つぶれを起こしている状態となる。（ｈ）はＳ４０８で再度ズームインした時のスルー画像であり、既に露出が撮影したい被写体５０１に合っているため、見失いにくくなる。
【００８３】
Ｓ４１１でＦＡズームアウト倍率分のズームアウトが完了したと判定すると、Ｓ４１３へ進む。ズームアウトが完了した時点でのズーム位置を第２の位置と称する。
【００８４】
Ｓ４１３では、シャッターボタン６１が半押しされて第１シャッタースイッチ信号ＳＷ１が発生したか否かを判定する。第１シャッタースイッチ信号ＳＷ１が発生したと判定した場合はＳ４１４に進み、Ｓ４０３でシステムメモリ５２に記憶された、ＦＡボタン７５の押下前のズーム倍率をクリア（消去）する。そしてＳ４１５では、Ｓ４０９と同様に露出値とホワイトバランスの固定を解除する。その後、図３のＳ３１０に進んで撮像準備動作を開始する。このように、ＦＡ処理中にシャッターボタン６１が半押しされると、ＦＡボタン押下前の画角ではなく、現時点での画角での静止画撮影をユーザが所望しているとみなし、一時的なズームアウトによるズーム位置を変更することなくＦＡ処理を終了する。すなわち、この場合はＦＡ機能の開始前のズーム位置に復帰させない。
【００８５】
Ｓ４１６では、動画ボタン７４が押下されたか否かを判定する。動画ボタン７４が押下されたと判定するとＳ４１７に進み、押下されていない場合はＳ４２０へ進む。
【００８６】
Ｓ４１７では、Ｓ４０３でシステムメモリ５２に記憶された、ＦＡ前のズームポジションをクリア（消去）してから、Ｓ４１８へ進む。
【００８７】
Ｓ４１８では、Ｓ４０９と同様に露出値とホワイトバランスの固定を解除し、Ｓ４１９へ進む。
【００８８】
Ｓ４１９では、現在動画撮影中であるか否かを判定し、動画撮影中でなければ図３のＳ３１６へ進み動画の撮影を開始し、動画撮影中であれば図３のＳ３２５へ進み、Ｓ４０６で非表示としていた撮影情報を再度表示して動画の撮影を終了する。ここでも、動画ボタン７４が押下された場合は、ＦＡ前の画角ではなく、現在の画角で動画撮影の開始あるいは終了をユーザが所望しているとみなし、ズームポジションを変更することなくＦＡ処理を終了する。
【００８９】
Ｓ４２０では、現在動画撮影中であるか否かを判定する。動画撮影中であると判定した場合はＳ４０７へ戻り、処理を繰り返す。すなわち、動画撮影中のＦＡ処理ではＳ４２１以下で後述するＦＡ前の画角に相当する範囲への枠表示を行わない。これは、動画撮影中に枠表示が行われてしまうと、枠自体も動画の一部として記録されてしまっているのではないかとユーザが誤認識することを防止するためである。また、撮影中の動画の確認を妨げないようにするためである。Ｓ４２０で動画撮影中であると判定した場合はＳ４２１へ進む。
【００９０】
Ｓ４２１では、操作部７０の操作などにより設定変更操作があったか否かを判定する。設定変更操作があったと判定するとＳ４２２へ進み、設定変更操作が無ければＳ４０７に進む。
【００９１】
Ｓ４２２では、設定変更操作があったものの、設定変更は行わず、なんの処理も行わない（反応しない）。なお、Ｓ４２１の判定ステップを設けず、Ｓ４２０からＳ４０７へ進む構成としても同義である。すなわち、本実施の形態では、ＦＡ処理によって一時的にズームアウトしている際は、設定変更操作を受け付けない構成とし、図３のＳ３０７で設定変更可能であると説明した各撮影設定項目についての設定変更を禁止している。このようにすることで、ズーム位置を実際に撮影する画角と異なる位置としてスルー画像表示を行うＦＡ処理中に撮影設定の変更がされてしまい、ユーザが意図しない画像が撮影されてしまうといったことを防いでいる。
【００９２】
図４では簡潔にフローチャートを記載するために露出値の固定方法について詳細を記載していない。そのため、図４のＳ４０７、Ｓ４１１、Ｓ４１２で実施している露出値の固定方法の詳細を図６のフローチャートに示す。ＦＡズームアウトでは、開始前にズームアウト開始時のズームポジションＰ１とズームアウト終了時のズームポジションＰ４が分かっている。それぞれのズームポジションでは絞り値が異なるが、シャッタースピードまたはＩＳＯ感度を変えることにより露出値を固定させる。
【００９３】
図７にズームポジションＰ１とＰ４のイメージ図を記載した。図６、図７では一例として、全ズームレンズ移動量の１／３移動したタイミングで、シャッタースピードまたはＩＳＯ感度を変えることにより、ズームレンズを移動させている最中の露出値も固定している。
【００９４】
Ｓ６０１ではＦＡボタンが離されたか否かを判別している。Ｓ４０７に相当する項目である。ＦＡボタンが離されたらＳ４０８へ進み、離されない場合は、Ｓ６０２へ進む。
【００９５】
Ｓ６０２ではズーム駆動前の絞り値Ｆ１、シャッタースピードＴ１、ＩＳＯ感度ＩＳＯ１の値をメモリ３２に記憶する。ＦＡ機能ではズームアウトする前に、動作を開始する前から移動先のズームポジションがどこになるかが予め分かっている。
【００９６】
Ｓ６０３では移動先のズームポジションの絞り値Ｆ４をメモリ３２に記録する。また、図７に記載したズームポジションＰ２、Ｐ３の絞り値Ｆ２、Ｆ３もメモリ３２に記録する。Ｐ２は全ズームレンズ移動量の１／３だけＷｉｄｅ側に移動したズームポジションを表しており、Ｐ３は全ズームレンズ移動量の２／３だけＷｉｄｅ側に移動したズームポジションを表している。
【００９７】
Ｓ６０４では、露出値が固定となるように、以下の数式が成り立つ、シャッタースピードとＩＳＯ感度の組合せ、（Ｔ２、ＩＳＯ２）、（Ｔ３、ＩＳＯ３）、（Ｔ４、ＩＳＯ４）を決定する。
【００９８】
【数１】
2014143456.tif 000003
Ｓ６０５では、Ｓ６０１と同様、ＦＡボタンが離されたか否かを判別している。ＦＡボタンが離されたらＳ４０８へ進み、離されない場合は、Ｓ６０６へ進む。
【００９９】
Ｓ６０６では、前記ズームポジションＰ２までズーム駆動をする。
【０１００】
Ｓ６０７では、前記ズームポジションＰ２で露出値が固定となるようにするため、Ｔ２、ＩＳＯ２を反映させる。
【０１０１】
Ｓ６０８では、Ｓ６０１と同様、ＦＡボタンが離されたか否かを判別している。ＦＡボタンが離されたらＳ４０８へ進み、離されない場合は、Ｓ６０９へ進む。
【０１０２】
Ｓ６０９では、前記ズームポジションＰ３までズーム駆動をする。
【０１０３】
Ｓ６１０では、前記ズームポジションＰ３で露出値が固定となるようにするため、Ｔ３、ＩＳＯ３を反映させる。
【０１０４】
Ｓ６１１では、Ｓ６０１と同様、ＦＡボタンが離されたか否かを判別している。ＦＡボタンが離されたらＳ４０８へ進み、離されない場合は、Ｓ６１２へ進む。
【０１０５】
Ｓ６１２では、前記ズームポジションＰ４までズーム駆動をする。
【０１０６】
Ｓ６１３では、前記ズームポジションＰ４で露出値が固定となるようにするため、Ｔ４、ＩＳＯ４を反映させる。
【０１０７】
図４のＳ４０８で実施している、ズームイン時の露出値の固定方法を図８のフローチャートに示す。ＦＡズームインでは、開始前にズームイン開始時のズームポジションＰ４とズームイン終了時のズームポジションＰ１が分かっている。それぞれのズームポジションでは絞り値が異なるが、シャッタースピードまたはＩＳＯ感度を変えることにより露出値を固定させる。図７にズームポジションＰ１とＰ４のイメージ図を記載した。図６、図７では一例として、全ズームレンズ移動量の１／３移動したタイミングで、シャッタースピードまたはＩＳＯ感度を変えることにより、ズームレンズを移動させている最中の露出値も固定している。
【０１０８】
Ｓ８０１ではズーム駆動前の絞り値Ｆ４、シャッタースピードＴ４、ＩＳＯ感度ＩＳＯ４の値をメモリ３２に記憶する。ＦＡ機能ではズームインする前に、動作を開始する前から移動先のズームポジションがどこになるかが予め分かっている。
【０１０９】
Ｓ８０２では移動先のズームポジションの絞り値Ｆ１をメモリ３２に記録する。また、図７に記載したズームポジションＰ２、Ｐ３の絞り値Ｆ２、Ｆ３もメモリ３２に記録する。Ｐ３は全ズームレンズ移動量の１／３だけＴｅｌｅ側に移動したズームポジションを表しており、Ｐ２は全ズームレンズ移動量の２／３だけＴｅｌｅ側に移動したズームポジションを表している。
【０１１０】
Ｓ８０３では、露出値が固定となるように、以下の数式が成り立つ、シャッタースピードとＩＳＯ感度の組合せ、（Ｔ１、ＩＳＯ１）、（Ｔ２、ＩＳＯ２）、（Ｔ３、ＩＳＯ３）を決定する。
【０１１１】
【数２】
2014143456.tif 000004
Ｓ８０４では、前記ズームポジションＰ３までズーム駆動をする。
【０１１２】
Ｓ８０５では、前記ズームポジションＰ３で露出値が固定となるようにするため、Ｔ２、ＩＳＯ２を反映させる。
【０１１３】
Ｓ８０６では、前記ズームポジションＰ２までズーム駆動をする。
【０１１４】
Ｓ８０７では、前記ズームポジションＰ２で露出値が固定となるようにするため、Ｔ２、ＩＳＯ２を反映させる。
【０１１５】
Ｓ８０８では、前記ズームポジションＰ１までズーム駆動をする。
【０１１６】
Ｓ８０９では、前記ズームポジションＰ１で露出値が固定となるようにするため、Ｔ１、ＩＳＯ１を反映させ，完了したら図４のＳ４０９に戻る。
【０１１７】
図６、図８ではズームレンズの移動量の１／３移動したタイミングで、露出値が固定になるように、シャッタースピードやＩＳＯ感度を変更したが、１／ｍ （ｍは正整数）移動したタイミングで、露出値が固定になるように、シャッタースピードやＩＳＯ感度を変更してもよい。
【０１１８】
従来はズームインもしくはズームアウトを完了した後で、ＡＥを行うことで、露出を調整していたため、被写体に追従するまでに時間がかかり、被写体を見失うことがあったが、このように露出値を固定させることで、被写体を見失いにくくすることができる。
【０１１９】
以上説明したように、本実施の形態によれば、ＦＡボタンを押してから離すまでの期間、露出値とホワイトバランスをズーム操作する前の値に固定する。これによって、高倍率のズーム機能を備える撮像装置において、スルー画像表示を行う場合に、撮影したい被写体を見失いにくくし、動体である被写体を所望の画角にフレーミングすることができる。
【符号の説明】
【０１２０】
２２    撮像部
２８    表示部
３２    メモリ
４４    ズーム制御手段
５２    システムメモリ
５６    不揮発性メモリ
６１    シャッターボタン
７０    操作部
７２    電源スイッチ
７４    動画ボタン
７５    ＦＡボタン
７６    ズームレバー
１００  デジタルカメラ
２００  記録媒体
【図１】
2014143456.tif 000005
【図２】
2014143456.tif 000006
【図３】
2014143456.tif 000007
【図４】
2014143456.tif 000008
【図５】
2014143456.tif 000009
【図６】
2014143456.tif 000010
【図７】
2014143456.tif 000011
【図８】
2014143456.tif 000012